(57)【特許請求の範囲】
【請求項１】
排ガスを分析して車両の性能を測定する測定用デバイスと、該測定用デバイスを管理する管理装置とを具備し、
前記管理装置が、
前記測定用デバイスの稼働状況に関する情報を状況データとして逐次取得する状況データ取得部と、
取得した状況データの内容が所定条件を満たした場合には、当該状況データをトラブルデータとしてメモリに記録するトラブルデータ記録部と、
前記トラブルデータ記録部に記録されたトラブルデータの示す内容のうちの少なくとも所定項目に係る内容を、トラブルデータ毎にそれぞれ選択可能なように区成された表の形式で画面に表示するトラブルリスト表示部と、
選択されたトラブルデータが取得された位置を図示する位置情報画面を表示する位置情報画面表示部とを具備し、
前記トラブルリスト表示部が、トラブルデータを流路系統毎に分類して表示するように構成されていることを特徴とする車両性能試験システム。
【請求項２】
前記トラブルデータ記録部がトラブルデータを記録すると点灯するアラームアイコンを画面に表示するモニタリング画面表示部を具備する請求項１記載の車両性能試験システム。
【発明の詳細な説明】
【技術分野】
【０００１】
この発明は、自動車等の車両の性能を試験するための車両性能試験システムに関するものである。
【背景技術】
【０００２】
従来の自動車等の車両の性能を試験するための車両性能試験システムは、シャシダイナモ装置に搭載された自動車を、自動運転ロボットにより所定の走行モードに従って走行させ、そのときに排出される排ガスを定容量サンプリング装置によって採取し、この採取されたサンプルガスを、測定原理の異なる複数のガス分析器を搭載した排ガス測定装置に供給して前記各成分をそれぞれ測定することで、自動車の性能を試験するようにしている（特許文献１）。
【０００３】
ところでこの種の車両性能試験システムでは、法令により定められた試験が行われるため、試験時の温度や排ガスの流速等は正確に調節されなければならない。しかし、この種の車両性能試験システムは、極めて複雑な流路系を有しているので、一旦トラブルが起こると、その原因箇所を迅速に突き止めて復旧するのが難しい。
【先行技術文献】
【特許文献】
【０００４】
【特許文献１】特開２０１０−２７６４７３号公報
【発明の概要】
【発明が解決しようとする課題】
【０００５】
そこで本発明は、トラブルの原因箇所を速やかに突き止めることができる車両性能試験システムを提供すべく図ったものである。
【課題を解決するための手段】
【０００６】
すなわち本発明に係る車両性能試験システムは、排ガスを分析して車両の性能を測定する測定用デバイスと、該測定用デバイスを管理する管理装置とを具備し、前記管理装置が、前記分析器の稼働状況に関する情報を状況データとして逐次取得する状況データ取得部と、取得した状況データの内容が所定条件を満たした場合には、当該状況データをトラブルデータとしてメモリに記録するトラブルデータ記録部と、前記トラブルデータ記録部に記録されたトラブルデータの示す内容のうちの少なくとも所定項目に係る内容を、トラブルデータ毎にそれぞれ選択可能なように区成された表の形式で画面に表示するトラブルリスト表示部と、選択されたトラブルデータが取得された位置を図示する位置情報画面を表示する位置情報画面表示部とを具備したものであることを特徴とすることを特徴とする。
【０００７】
このようなものであれば、トラブルリスト表示部によって発生したトラブルが一覧表として表示されるので、トラブルの発生状況の全容を俯瞰できるとともに、位置情報画面表示部において選択されたトラブルが発生した位置が図示されるので、トラブルが発生した位置を視覚的に容易に認識できる。このため、トラブルの発生箇所を迅速に把握して当該トラブルを速やかに解消することができる。
【０００８】
本発明は更に、前記トラブルデータ記録部がトラブルデータを記録すると点灯するアラームアイコンを画面に表示するモニタリング画面表示部を具備していてもよい。
【発明の効果】
【０００９】
このように本発明によれば、トラブルの発生箇所を迅速に把握して速やかにトラブルを解消することができる。
【図面の簡単な説明】
【００１０】
【図１】本発明の一実施形態に係る車両性能試験システムを示す模式的全体図。
【図２】同実施形態におけるデバイス管理装置及び排ガス測定用デバイスの機能ブロック図。
【図３】同実施形態におけるモニタリング画面を示す画面説明図。
【図４】同実施形態におけるトラブルリスト表示画面を示す画面説明図。
【図５】同実施形態における位置情報表示画面を示す画面説明図。
【図６】他の実施形態における位置情報表示画面を示す画面説明図。
【図７】他の実施形態における位置情報表示画面を示す画面説明図。
【発明を実施するための形態】
【００１１】
以下に本発明の一実施形態について図面を参照して説明する。
【００１２】
図１は、本実施形態に係る車両性能試験システム１の全体を模式的に示したものである。この車両性能試験システム１は、同図に示すように、シャシダイナモメータ２、自動運転装置３、試験自動管理装置５、複数の排ガス測定用デバイス４、デバイス管理装置６等を備えているもので、シャシダイナモメータ２上で車両ＶＨを擬似走行状態にし、その車両ＶＨの燃費、排ガス成分等に係る性能を試験することができる。
【００１３】
以下に各部を説明する。シャシダイナモメータ２は、一軸の回転ドラム２１と、この回転ドラム２１に負荷を与えるモータやフライホイール（図示しない。）と、それらを制御するダイナモ制御装置２２を備えたものである。回転ドラム２１やモータ、又はフライホイールは、テスト室１０の床Ｆ下にあるピット内に設置してあり、回転ドラム２１の頂上部をテスト室１０の床Ｆに設けた開口部から表出させている。そして車両ＶＨを、その駆動輪が回転ドラム２１の頂上部直上に位置するテスト位置に設定することにより、実走行と同様な状態で走行できるように構成している。ダイナモ制御装置２２は、例えばテスト室１０に隣接して設けた計測室に収容してある。なお、このテスト室１０及び計測室（又は更にこれらに加えて前記ピット）がいわゆるセルと総称されるものである。
【００１４】
自動運転装置３は、車両ＶＨの運転室に搭載されてアクセル、ブレーキ、クラッチ等を駆動する運転ロボット（図示しない。）と、その運転ロボットに接続されてこれを制御するロボット制御装置３１とを備えたもので、このロボット制御装置３１に種々の指令信号を与えることで、前記運転ロボットを制御させ、１０モードやＬＡモード等、車両ＶＨを１又は複数の走行モードで自動走行させることができるようにしてある。このロボット制御装置３１は、例えば前記計測室に収容してある。
【００１５】
試験自動管理装置５は、詳細な説明は省くが、基本的には、走行試験のスケジュールを設定するためのものである。走行試験のスケジュールを設定するとは、例えば、試験モードの設定や試験日の設定等に加え、より細かく車速やエンジン回転数等の車両の挙動を設定したり、測定対象、測定タイミング等を設定したりすることである。この試験自動管理装置には、通信ポートが設けられていて、前記測定用デバイス４やシャシダイナモメータ２、自動運転装置３等が、有線又は無線によってこの試験自動管理装置５に相互通信可能に接続される。
【００１６】
しかして、かかるスケジュール設定がオペレータにより行われると、試験自動管理装置５はそのスケジュールに従ってシャシダイナモメータ２、自動運転装置３、デバイス管理装置６等に適宜指令信号を送信し、スケジュール通りの試験が行われるようにそれらを制御する。
【００１７】
なお、図１では、１つの試験自動管理装置５に１つのデバイス管理装置６が接続されているが、複数のデバイス管理装置６が接続されていてもよい。試験自動管理装置５はデバイス管理装置６毎に独立してスケジューリングできる。
【００１８】
排ガス測定用デバイス４（以下、単に測定用デバイス４とも言う。）とは、排ガス測定に用いられるデバイスのことであり、例えば、単位機器であるガス分析器を１以上集合させて構成した、排ガス成分を測定するものの他、定容量サンプリング装置のように、排ガス成分を測定する前処理を行うようなものも含まれる。
【００１９】
この実施形態では、測定用デバイス４として複数種類を用いている。例えば、測定原理の異なる複数のガス分析器を内蔵した第１測定用デバイス４１、定容量サンプリング装置たる第２測定用デバイス４２、ＥＧＲ率測定装置たる第３測定用デバイス４３、超音波流量計たる第４測定用デバイス４４等である。前記ガス分析器とは、例えば、ＴＨＣを測定するためのＦＩＤであるとか、ＮＯｘを測定するためのＣＬＤであるとか、ＣＯ、ＣＯ２を測定するためのＮＤＩＲ等のことである。
【００２０】
各測定用デバイス４は、車両内燃機関の吸排気経路から、吸入ガス又は排出ガスをサンプリングするためのサンプリング管を具備しており、そのサンプリング管を通ってサンプリングしたガスに係るＨＣ、ＮＯＸ、ＣＯ、ＣＯ２等の各成分量を測定し、その測定値から内燃機関や触媒等、車両を構成する機器の性能値、例えば燃費、ＥＧＲ率等を算出するものである。
【００２１】
そのために、各測定用デバイス４は、測定のためのセンサに加えてローカルコンピュータを内蔵しており、このローカルコンピュータが、センサからの出力値に補正や校正を施して前記各成分量を示す測定値を算出するとともに、その測定値から前記機器性能値を算出する演算部と、該演算部によって算出された測定値や機器性能値等を所定のプロトコルでデバイス管理装置６に送信する通信部としての機能を発揮する。
【００２２】
また、このローカルコンピュータは、デバイス管理装置６からの指令信号を受信して、当該排ガス測定用デバイス４の動作モード（測定モード、校正モード、パージモード等）や状態モード（スリープモード、スタンバイモード等）を制御するモード制御部や、センサの校正を行う校正部、又は、該測定用デバイス４の過去から現在に亘るデバイス状態情報、例えば、内蔵するポンプによる吸引圧力を示すポンプ圧情報、センサ部の感度に係る情報である感度情報、各部の蓄積稼働時間を示す蓄積稼働時間情報、当該測定用デバイス４の予め定められた検査日時を特定するための情報である検査日時特定情報等を蓄積するローカル蓄積部を更に具備している。
【００２３】
更に、各測定用デバイス４には、その稼働状況をモニタリングするために圧力センサや温度センサ等の各種センサ類が内蔵されており、本実施形態では、これらのセンサ類が、圧力データや温度データ等の各測定用デバイス４の稼働状況に関する状況データを取得する状況データ取得部４０１として機能する。
【００２４】
デバイス管理装置６は、例えば汎用のコンピュータに所定のプログラムをインストールして構成されたもので、物理的には、ＣＰＵ、メモリ、ディスプレイ６７、入力手段（キーボードやマウス等）、通信インタフェース等を備えている。そして、前記メモリに記憶させたプログラムに従ってＣＰＵ及びその周辺機器が協働することにより、このデバイス管理装置６は、断接操作監視部、デバイス標識表示部、デバイス情報取得部等としての機能とともに、本実施形態では、図２に示すように、データ受信部６１、テンポラリデータ格納部６２、トラブルトラブルデータ記録部６３、データ管理部６４、判断基準パラメータ格納部６５、表示部６６、入力受付部６８等としての機能を発揮するように構成している。また、このデバイス管理装置６には、通信ポートが設けられていて、前記測定用デバイス４は、有線又は無線によって、デバイス管理装置６に相互通信可能に接続される。
【００２５】
以下にデバイス管理装置６の各部を詳細に説明する。
【００２６】
データ受信部６１は、状況データ取得部４０１として機能する圧力センサや温度センサ等の各種センサ類から出力された状況データを一定の時間間隔で時系列的に次々と取得するものであり、その取得した状況データを、メモリ内の所定領域に設定したテンポラリデータ格納部６２に次々書き込んでいく。なお、このテンポラリデータ格納部６２の容量が一杯になると、古いデータから順次消されて、そこに新しい状況データが書き込まれる。
【００２７】
データ管理部６４は、テンポラリデータ格納部６２に格納された状況データの内容が所定条件を満たすかどうかを判断し、所定条件を満たす場合にのみ、その状況データをトラブルデータとして、テンポラリデータ格納部６２から、メモリの所定領域に設けられたトラブルデータ記録部６３に移送するものである。
【００２８】
ここで、所定条件を満たすかどうかの判断には、各状況データに対応して設けられた判断基準パラメータが用いられる。この判断基準パラメータは、メモリの所定領域に設けた判断基準パラメータ格納部６５に予め格納されている。例えば、所定の圧力値を超えたときに状況データをトラブルデータとして格納したい場合は、この判断基準パラメータには、所定の圧力値が含まれることになる。
【００２９】
表示部６６は、ディスプレイ６７を制御するものであり、図３、図４及び図５に示すように、モニタリング画面表示機能（モニタリング画面表示部としての機能）、トラブルリスト表示機能（トラブルリスト表示部としての機能）、位置情報画面表示機能（位置情報画面表示部としての機能）等を発揮する。ここで、モニタリング画面表示機能とは、トラブルデータ記録部６３がトラブルデータを記録すると点灯するアラームアイコンＲが付されたモニタリング画面Ｇ０を表示する機能である。トラブルリスト表示機能とは、トラブルデータ記録部６３に移送されたトラブルデータの示す内容をトラブルデータ毎に区成された表の形式で示すトラブルリスト表示画面Ｇ１を表示する機能である。位置情報画面表示機能とは、トラブルリストに表示されたトラブルデータのうち、オペレータにより選択されたトラブルデータが取得された位置を模式的に図示する位置情報画面Ｇ２を表示する機能である。
【００３０】
入力受付部６８は、図３に示すモニタリング画面Ｇ０上に表示されたアラームアイコンＲをマウス等でクリックすることにより、トラブルリスト表示画面Ｇ１への切り替えを受け付けるものである。また、入力受付部６８は、マウス等でのクリックにより、トラブルリストＬに表示されたトラブルデータのうち、いずれか一のトラブルデータに対する指定を受け付けるものでもあり、表示部６６は、その指定に従い、そのトラブルデータが取得された位置を示す流路回路図Ｐやそのトラブルへの対処方法を示す位置情報画面Ｇ２を表示するようにしてある。
【００３１】
次に、かかる構成の車両性能試験システム１の動作に関して説明する。
【００３２】
まず、圧力センサや温度センサ等の状況データ取得部４０１が、圧力データや温度データ等の状況データを出力すると、データ受信部６１は当該状況データを次々に受信し、受信した状況データをテンポラリデータ格納部６２に次々に書き込んでいく。
【００３３】
次いで、データ管理部６４が判断基準パラメータ格納部６５から取得した判断基準パラメータに基づいて、テンポラリデータ格納部６２に格納された状況データの内容がトラブル発生に該当する所定条件を満たすかどうか判断する。
【００３４】
テンポラリデータ格納部６２に格納された状況データの内容がトラブル発生に該当する所定条件を満たすと判断されると、当該状況データはトラブルデータとしてトラブルデータ記録部６３に移送される。
【００３５】
トラブルデータがトラブルデータ記録部６３に移送されると、図３に示すように、モニタリング画面Ｇ０の上部に付されたアラームアイコンＲが点灯する。
【００３６】
そして、オペレータがモニタリング画面Ｇ０上のアラームアイコンＲをマウス等でクリックすると、表示部６６がトラブルデータ記録部６３からトラブルデータを取得する。トラブルデータを取得した表示部６６は、トラブルデータの示す内容のうちの少なくとも所定項目に係る内容を、図４に示すように、トラブルデータ毎に区成された表の形式をとるトラブルリストＬとしてトラブルリスト表示画面Ｇ１に表示する。トラブルリストＬに表示される項目は適宜選択することができるが、例えば、圧力や温度等の状態、トラブルが発生した流路系統、トラブルが発生した分析器、トラブル発生日や発生時刻等が含まれる。なお、トラブルリストＬにおいてトラブルデータは流路系統毎に分類して表示される。
【００３７】
オペレータがトラブルリスト表示画面Ｇ１に表示されたトラブルリストＬから目的のトラブルデータをマウス等でクリックして選択すると、選択されたトラブルデータがハイライト表示されるとともに、図５に示すように、位置情報画面Ｇ２が別ウィンドウに表示され、当該位置情報画面Ｇ２上に選択されたトラブルデータの取得位置及びトラブルの概要を示すマークＭが付された流路回路図Ｐが表示される。位置情報画面Ｇ２上には、併せて当該トラブルに対する対処方法も表示される。そして、他のトラブルデータを選択すると、図６に示すように、新たな位置情報画面Ｇ３が表示される。
【００３８】
このように構成した本実施形態に係る車両性能試験システム１によれば、トラブルリスト表示画面Ｇ１上に発生したトラブルが一覧表として表示されるので、トラブルの発生状況の全容を俯瞰できるとともに、選択されたトラブルが発生した位置が、位置情報画面Ｇ２上に表示された流路回路図Ｐ中に図示されるので、トラブルが発生した位置を視覚的に容易に認識できる。このため、トラブルの発生箇所を迅速に把握して当該トラブルを速やかに解消することができる。
【００３９】
また、選択したトラブルの発生位置だけが位置情報画面Ｇ２上にマークＭによって指し示されるので、位置情報画面Ｇ２上に他のトラブル発生箇所があっても、選択したトラブルの発生位置を特定しやすい。
【００４０】
なお、本発明は上記実施形態に限られない。
【００４１】
前記実施形態ではトラブルデータが取得された位置を位置情報画面上に模式的に図示するために流路回路図が用いられているが、図７の位置情報画面Ｇ４に示すように、流路回路図に変えて一の分析器又は複数の分析器からなるユニットの機械的構成を模式的に表した構造図Ｓが用いられてもよい。
【００４２】
また、前記実施形態では選択したトラブルの発生位置だけが位置情報画面上にマークによって指し示されるように構成してあるが、同一の位置情報画面上に複数のトラブル発生箇所がある場合、全てがマークによって指し示されてもよい。
【００４３】
更に、前記実施形態ではトラブルリスト表示画面と位置情報画面とは別個に開いたウィンドウ上にそれぞれ表示されているが、１つのウィンドウが２画面に分割されて、トラブルリスト表示画面と位置情報画面とが１つのウィンドウ上に一括して表示されるようにしてもよい。
【００４４】
その他本発明は、その趣旨を逸脱しない範囲で様々な変形が可能である。
【符号の説明】
【００４５】
１・・・車両性能試験システム
４・・・排ガス測定用デバイス
４０１・・・状況データ取得部
６・・・デバイス管理装置
６３・・・トラブルデータ記録部
Ｇ１・・・トラブルリスト表示画面
Ｇ２・・・位置情報画面
【図１】
0005597673.tif 000002
【図２】
0005597673.tif 000003
【図３】
0005597673.tif 000004
【図４】
0005597673.tif 000005
【図５】
0005597673.tif 000006
【図６】
0005597673.tif 000007
【図７】
0005597673.tif 000008